(57)【要約】【課題】コーナー部分においても、有効な緩衝作用を得ることのできる緩衝部材を提供することである。【解決手段】矩形の少なくとも１つのコーナー部分を切り落として形成される斜辺（１３ａ、１３ｂ、１３ｃ、１３ｄ）を有した形状となって物体が載置されるべき支持板部１１と、支持板部１１の前記斜辺（１３ａ、１３ｂ、１３ｃ、１３ｄ）を除く各縁辺（１１ａ、１１ｂ、１１ｃ、１１ｄ）から下方に続く足板部（１２ａ、１２ｂ、１２ｃ、１２ｄ）とにより台状に形成された構成となる。【選択図】図１
2010189040.tif 000002
【特許請求の範囲】
【請求項１】
矩形の少なくとも１つのコーナー部分の近傍を切り欠いて形成され、前記コーナー部分を挟む一方の縁辺から他方の縁辺に至る斜辺を有した形状となって物体が載置されるべき支持板部と、該支持板部の前記斜辺を除く各縁辺から下方に続く足板部とにより台状に形成された緩衝部材。
【請求項２】
前記支持板部は、矩形の４つ全てのコーナー部分のそれぞれに前記斜辺を形成した形状となり、
前記足板部は、前記４つの斜辺を除く各縁辺から下方に続いたものとなる請求項１記載の緩衝部材。
【請求項３】
前記斜辺を挟む２つの縁辺から下方に続く２つの足板部のそれぞれは、該斜辺を越えて延びる延長部を有する請求項１または２記載の緩衝部材。
【請求項４】
前記２つの足板部の延長部の先端は互いに当接している請求項３記載の緩衝部材。
【請求項５】
前記コーナー部分の近傍をスリット状に切り欠いて前記斜辺を形成した請求項１乃至４のいずれかに記載の緩衝部材。
【請求項６】
前記斜辺の一方端に接合する第１縁辺から下方に続く第１足板部は、該斜辺を越えて、該斜辺の前記第１縁辺の延びる方向の長さより大きい所定長の第１延長部を有し、
前記第１縁辺と直交する方向に延びる第２縁辺から下方に続く第２足板部は、前記第２縁辺の延びる方向に、前記支持板部の幅を越えて延びる所定長の第２延長部を有する請求項１乃至５のいずれかに記載の緩衝部材。
【請求項７】
前記支持板部の前記第２縁辺が接合する前記第２延長部側のコーナー部分の近傍を切り欠いて斜辺が形成されている請求項６記載の緩衝部材。
【請求項８】
請求項１乃至７のいずれかに記載の緩衝部材を用いて包装箱に物体を収容する梱包構造であって、
足板部の高さの異なる複数の緩衝部材を、前記足板部の下端が前記包装箱の底部に当接するとともに、互いの支持板部の間に前記物体の収容空間を形成するように重ねて配置し、
それぞれの支持板部上に前記物体を複数並べて載置する梱包構造。
【請求項９】
前記物体がスパウト付きパウチであり、前記支持板部上に部分的に重なるように複数並べて載置される請求項８記載の梱包構造。
【発明の詳細な説明】
【技術分野】
【０００１】
本発明は、カートン箱等の包装箱内に収容され、該包装箱が落下した際にその包装箱に入れられた物体に対する衝撃を緩和する緩衝部材、及びその緩衝部材を用いて物体を包装箱内に収容した梱包構造に関する。
【背景技術】
【０００２】
従来、軟質の医療用容器を複数梱包した医療用容器梱包体が提案されている（特許文献１参照）。この医療用梱包体は、フラップ部（足板部）を有する底板部材（緩衝部材）が包装箱本体の底部に当該フラップ部が当接するように置かれるとともに、前記底板部材のフラップ部より長いフラップ部（足板部）を有する中板部材がそのフラップ部が前記底板部材のフラップ部と包装箱本体の内壁との間に差し込まれて底部に当接するように包装箱本体内に置かれた構造となっている。そして、複数の医療用容器が、中板部材の上板部（支持板部）との間に空隙が形成されるように底板部材の上板部（支持板部）上に重ね置かれ、更に、中板部材の上板部上に複数の医療用容器が重ね置かれる。
【０００３】
このような医療用容器梱包体によれば、中板部材（緩衝部材）上に重ねられた医療用容器の荷重が、底板部材に重ねられた医療用容器にかからないので、その梱包体を落下させた場合に、中板部材に重ねられた医療用容器の荷重が当該中板部材にて吸収され得るようになる。また、底板部材（緩衝部材）上に重ねられた医療用容器と中板部材の上板部（支持板部）との間に空隙が形成されているので、その梱包体を落下させた際に医療用容器の重みで中板部材が変形しても、その中板部材の変形部分が底板部材上に重ねられた医療用容器に達し難い。このため、その落下時において中板部材に重ね置かれた医療用容器の荷重が底板部材にかかることなく、当該底板部材（緩衝部材）上重ねられた医療用容器の荷重が有効に当該底板部材にて吸収され得るようになる。
【０００４】
ところで、前述した梱包体に底板部材や中板部材として用いられる従来の緩衝部材は、その矩形となる上板部（支持板部）の全ての縁辺からフラップ部（足板部）が下方に続いて台状となる構造となっている。このような台状の緩衝部材は、フラップ部（足板部）によって周縁辺の支えられる上板部（支持板部）がそれに載置される物体（医療用容器）の荷重によって撓むことにより、その物体に対する衝撃が緩和される。
【先行技術文献】
【特許文献】
【０００５】
【特許文献１】特願２００７−２０７１０号公報
【発明の概要】
【発明が解決しようとする課題】
【０００６】
しかし、従来の緩衝部材における矩形状の上板部（支持板部）の各コーナー部分では、直交する２つの縁辺から下方に続く２つのフラップ部（足板部）が突き当たって、その近接する２つのフラップ部（足板部）にて支えられた構造となるので、充分な撓みが得られない。このため、従来の緩衝部材では各コーナー部において有効な緩衝作用が得難い。
【０００７】
本発明は、このような事情に鑑みてなされたもので、コーナー部分においても、有効な緩衝作用を得ることのできる緩衝部材を提供するものである。
また、本発明は、そのような緩衝部材を用いた梱包構造を提供するものである。
【課題を解決するための手段】
【０００８】
本発明に係る緩衝部材は、矩形の少なくとも１つのコーナー部分の近傍を切り欠いて形成され、前記コーナー部分を挟む一方の縁辺から他方の縁辺に至る斜辺を有した形状となって物体が載置されるべき支持板部と、該支持板部の前記斜辺を除く各縁辺から下方に続く足板部とにより台状に形成された構成となる。
【０００９】
このような構成により、矩形の支持板部の少なくとも１つのコーナー部分において、そのコーナー部分の近傍を切り欠いて形成される斜辺が足板部にて支えらないので、支持板部の当該コーナー部分がより撓み易くなる。
【００１０】
また、本発明に係る緩衝部材において、前記支持板部は、矩形の４つ全てのコーナー部分のそれぞれに前記斜辺を形成した形状となり、前記足板部は、前記４つの斜辺を除く各縁辺から下方に続いた構成とすることができる。
【００１１】
このような構成により、矩形の支持板部の４つ全てのコーナー部分のそれぞれにおいて、そのコーナー部分の近傍を切り欠いて形成される斜辺が足板部にて支えられなくなるので、支持板部の全てのコーナー部分がより撓み易くなる。
【００１２】
更に、本発明に係る緩衝部材において、前記斜辺を挟む２つの縁辺から下方に続く２つの足板部のそれぞれは、該斜辺を越えて延びる延長部を有する構成とすることができる。
【００１３】
このような構成により、斜辺の形成されたコーナー部分において支持板部を支える足板部が長くなるので、その部分でより大きな荷重に耐えることができるようになる。
【００１４】
また、本発明に係る緩衝部材において、前記２つの足板部の延長部の先端は互いに当接している構成とすることができる。
【００１５】
このような構成により、斜辺の形成されたコーナー部分でより大きな荷重に耐えることができるようになるとともに、斜辺を挟む２つの縁辺から可能に続く２つの足板部の先端が互いに当接して角が形成されるので、当該緩衝部材を包装箱に収容した際のがたつきを低減させることができるようになる。
【００１６】
更に、本発明に係る緩衝部材において、前記コーナー部分の近傍をスリット状に切り欠いて前記斜辺を形成した構成とすることができる。
【００１７】
このような構成により、矩形の支持板部の少なくとも１つのコーナー部分において直交する一方の縁辺から他方の縁辺に至る斜めスリットによって当該支持板部が切られたようになるので、当該コーナー部における前記斜めスリットの内側近傍部分がより撓みやすくなる。また、支持板部の当該コーナー先端部分が残るので、支持板部に載置される物体がそのコーナー部分から転落したり、垂れ下がってしまうことを防止することができる。更に、コーナー部分で角が形成されるので、当該緩衝部材を包装箱に収容した際のがたつきを低減させることができるようになる。
【００１８】
更に、本発明に係る緩衝部材において、前記斜辺の一方端に接合する第１縁辺から下方に続く第１足板部は、該斜辺を越えて、該斜辺の前記第１縁辺の延びる方向の長さより大きい所定長の第１延長部を有し、前記第１縁辺と直交する方向に延びる第２縁辺から下方に続く第２足板部は、前記第２縁辺の延びる方向に、前記支持板部の幅を越えて延びる所定長の第２延長部を有する構成とすることができる。
【００１９】
このような構成により、支持板部の斜辺の一方端に接合する第１縁辺から下方に続く第１足板部の第１延長部が当該斜辺の第１足板部の延びる方向の長さより大きい所定長となり、前記第１縁辺と直交する方向に延びる第２縁辺から下方に続く第２足板部が、前記第２縁辺の延びる方向に、前記支持板部の幅を越えて延びる所定長の第２延長部を有するので、矩形状の底部を有する包装箱に当該緩衝部材を入れる際に、それぞれ直交する方向に延びる第１足板部の第１延長部及び第２足板部の第２延長部それぞれの先端を包装箱の直交する内壁にあてがうようにすれば、包装箱の内壁との間にある隙間をもって当該緩衝材を入れることができるようになる。
【００２０】
また、本発明に係る緩衝部材において、前記支持板部の前記第２縁辺が接合する前記第２延長部側のコーナー部分の近傍を切り欠いて斜辺が形成されている構成とすることができる。
【００２１】
このような構成により、第１延長部を有する第１足板部及び第２延長部を有する第２足板部にて支えられる支持板部の前記第１延長部が越える斜辺と前記第２延長部が越える斜辺の形成された２つのコーナー部分がより撓み易くなる。
【００２２】
本発明に係る梱包構造は、前述したいずれかに記載の緩衝部材を用いて包装箱に物体を収容する梱包構造であって、足板部の高さの異なる複数の緩衝部材を、前記足板部の下端が前記包装箱の底部に当接するとともに、互いの支持板部の間に前記物体の収容空間を形成するように重ねて配置し、それぞれの支持板部上に前記物体を複数並べて載置する構成となる。
【００２３】
また、本発明に係る梱包構造において、前記物体がスパウト付きパウチであり、前記支持板部上に部分的に重なるように複数並べて載置される構成となる。
【発明の効果】
【００２４】
本発明に係る緩衝部材によれば、矩形の支持板部の少なくとも１つのコーナー部分において、そのコーナー部分を切り落として形成される斜辺が足板部にて支えられないことにより、また、斜めスリットによって当該支持板部が切られたようになることにより、支持板部の当該コーナー部分がより撓み易くなるので、コーナー部分においても、有効な緩衝作用を得ることのできるようになる。
【００２５】
また、本発明に係る梱包構造によれば、前記緩衝部材が物体に対する衝撃を有効に緩和しつつ当該物体が包装箱に梱包され得るようになる。
【図面の簡単な説明】
【００２６】
【図１】本発明の第１の実施形態に係る緩衝部材の外観を示す斜視図である。
【図２】図１に示す緩衝部材を上から見た状態を示す平面図である。
【図３】図１に示す緩衝部材の展開図である。
【図４】図１に示す緩衝部材の支持板部において比較的撓み易い領域を示す図である。
【図５】図１に示す緩衝部材を用いた梱包体の例を示す分解斜視図である。
【図６】図５に示す梱包体の断面図である。
【図７】本発明の第２の実施形態に係る緩衝部材の外観を示す斜視図である。
【図８】図７に示す緩衝部材を上から見た状態を示す平面図である。
【図９】図７に示す緩衝部材の展開図である。
【図１０】図７に示す緩衝部材を用いた梱包体の第１の例を示す分解斜視図である。
【図１１】図７に示す緩衝部材を用いた梱包体の第２の例を示す分解斜視図である。
【図１２】図７に示す緩衝部材を用いた梱包体の第３の例を示す分解斜視図である。
【図１３】図７に示す緩衝部材を用いた梱包体の第４の例を示す分解斜視図である。
【図１４】図７に示す緩衝部材を用いた梱包体の第５の例を示す分解斜視図である。
【図１５】図１４に示す梱包体における重ねられたパウチの状態を示す図である。
【図１６】本発明の第３の実施形態に係る緩衝部材の外観を示す斜視図である。
【図１７】図１６に示す緩衝部材を上から見た状態を示す平面図である。
【図１８】図１６に示す緩衝部材の展開図である。
【図１９】図１６に示す緩衝部材と該緩衝部材が収容されるカートン箱の矩形状底部との大きさの関係を示す図である。
【図２０】図１６に示す緩衝部材を用いた梱包体の例を示す分解斜視図である。
【図２１】本発明の第４の実施形態に係る緩衝部材の外観を示す斜視図である。
【図２２】図２１に示す緩衝部材を上から見た状態を示す平面図である。
【図２３】図２１に示す緩衝部材の展開図である。
【図２４】図２１に示す緩衝部材を用いた梱包体の例を示す分解斜視図である。
【発明を実施するための形態】
【００２７】
以下、本発明の実施の形態について、図面を用いて説明する。
【００２８】
本発明の第１の実施の形態に係る緩衝部材は、図１、図２及び図３に示すように構成される。なお、図１は緩衝部材の外観を示す斜視図であり、図２は緩衝部材を上から見た状態を示す平面図であり、図３は緩衝部材の展開図である。
【００２９】
図１、図２及び図３おいて、この緩衝部材１０は、段ボール紙製であって、物体が載置される支持板部１１と、支持板部１１を支える４つの足板部、即ち、第１足板部１２ａ、第２足板部１２ｂ、第３足板部１２ｃ及び第４足板部１２ｄとによって台状に形成されている。支持板部１１は、矩形の４つのコーナー部分を切り落として形成される第１斜辺１３ａ、第２斜辺１３ｂ、第３斜辺１３ｃ及び第４斜辺１３ｄを有した形状となっている。そして、支持板部１１のこれら第１斜辺１３ａ、第２斜辺１３ｂ、第３斜辺１３ｃ及び第４斜辺１３ｄを除く第１縁辺１１ａ、第２縁辺１１ｂ、第３縁辺１１ｃ及び第４縁辺１１ｄから下方に第１足板部１２ａ、第２足板部１２ｂ、第３足板部１２ｃ及び第４足板部１２ｄが続いている。
【００３０】
なお、指を引っ掛けるための孔部１４ａ、１４ｂが、第２縁辺１１ｂを挟んだ支持板部１１と第２足板部１２ｂとの境界部分の所定位置に、第４縁辺１１ｄを挟んだ支持板部１１と第４足板部１２ｄとの境界部分の所定位置に、それぞれ形成されている。これにより、緩衝部材１０のカートン箱への入れ込み及びカートン箱からの取り出しを容易に行えるようになる。
【００３１】
図４を参照するに、前述したような構造の緩衝部材１０においては、支持板部１１がその４つの縁辺１１ａ、１１ｂ、１１ｃ、１１ｄにおいて４つの足板部１２ａ、１２ｂ、１２ｃ、１２ｄによって支えられているので、各足板部１２ａ、１２ｂ、１２ｃ、１２ｄからの距離が比較的大きい支持板部１１の中央部分Ｅｍは比較的大きく撓み得る。また、支持板部１１の４つのコーナー部分Ｅｃ１、Ｅｃ２、Ｅｃ３、Ｅｃ４は、斜辺１３ａ、１３ｂ、１３ｃ、１３ｄが足板部にて支えられてないので、その分撓み易い。従って、支持板部１１の中央部分Ｅｍは勿論、そのコーナー部分Ｅｃ１、Ｅｃ２、Ｅｃ３、Ｅｃ４においても有効な緩和作用を得ることができる。
【００３２】
前述したような構造の緩衝材１０を用いた梱包体の例を、図５及び図６を参照して説明する。
【００３３】
図５において、この梱包体には前述した構造（図１乃至図３参照）の緩衝部材が２つ、即ち、第１緩衝部材１０Ａ及び第２緩衝部材１０Ｂが用いられる。第１緩衝部材１０Ａと第２緩衝部材１０Ｂとは、支持板部の面積、及び各足板部の高さが異なっている。即ち、第２緩衝部材１０Ｂの支持板部は、第１緩衝部材１０Ａの支持板部より大きく、第２緩衝部材１０Ｂの各足板部の高さは、第１緩衝部材１０Ａの各足板部の高さより大きい。そして、段ボール紙製のカートン箱（包装箱）１００の矩形状の底部は、第２緩衝部材１０Ｂの支持板部より僅かに大きい。
【００３４】
まず、第１緩衝部材１０Ａがカートン箱１００にその底部の略中央に位置するように収められる。そして、第１緩衝部材１０Ａの支持板部上に複数（例えば、６個）のスパウト付きパウチＰが部分的に重なるようにして置かれる。次に、第１緩衝部材１０Ａの各足板部とカートン箱１００の内壁との間の隙間に第２緩衝部材１０Ｂの各足板部が入り込むように、第２緩衝部材１０Ｂがカートン箱１００に収められる。そして、第２緩衝部材１０Ｂの支持板部上に複数（例えば、６個）のスパウト付きパウチＰが部分的に重なるようにして置かれる。更に、第２緩衝部材１０Ｂ上に載置された複数のスパウト付きパウチＰ上に段ボール紙製の仕切り板５０が置かれ、その仕切り板５０上に複数（例えば、６個）のスパウト付きパウチＰが部分的に重なるように置かれる。最後にカートン箱１００の蓋が閉じられて、図６に示すように、カートン箱１００内にスパウト付きパウチＰが３段重ねにて収納された梱包体が完成する。
【００３５】
このような梱包体では、３段のスパウト付きパウチＰが、第１緩衝部材１０Ａ上に１段分、第２緩衝部材１０Ｂ上に２段分それぞれ分割されて載置されているので、カートン箱１００の落下等の衝撃に対して第１緩衝部材１０Ａ及び第２緩衝部材１０Ｂは、破損することなく充分耐えることができる。また、第１緩衝部材１０Ａ及び第２緩衝部材１０Ｂは、前述したように、支持板部の中央部分では勿論、そのコーナー部分においても比較的撓み易い構造（図１乃至図３参照）となっているので、カートン箱１００の落下等際に、どの部分におかれたスパウト付きパウチＰに対する衝撃も有効に緩和させることができる。その結果、当該梱包体の輸送過程におけるスパウト付きパウチＰの損傷、特に、スパウト部分の損傷を有効に防止することができるようになる。
【００３６】
前述した緩衝部材１０では、物体（スパウト付きパウチＰ）が載置される支持板部１１は、矩形の４つ全てのコーナー部分のそれぞれを切り落として４つの斜辺１３ａ、１３ｂ、１３ｃ、１３ｄが形成された形状となっていたが、支持板部１１の形状は、少なくとも１つのコーナー部分を切り落として斜辺を形成した形状であればよい。この場合、その斜辺の形成されたコーナー部分がより撓み易くなるので、支持板部の中央部分部では勿論、少なくともそのコーナー部分において有効な緩和作用を得ることができるようになる。前述したスパウト付きパウチＰの配列では、全てのパウチＰについてパウチ部分が他のパウチ上に重なるようにすることで落下等の衝撃が更に緩和されるようにしているが、例えば、後述する図１１で示す配列は、上列左端のパウチのみスパウト部分が支持板部上に直接載置されるため、他のパウチより強い衝撃を受ける可能性がある。このような場合は、該当するコーナー部分にのみ足板部の形成されない斜辺を形成してもよい。
【００３７】
次に、本発明の第２の実施の形態に係る緩衝部材について、図７、図８及び図９を参照して説明する。なお、図７は緩衝部材の外観を示す斜視図であり、図８は緩衝部材を上から見た状態を示す平面図であり、図３は緩衝部材の展開図である。この第２の実施の形態に係る緩衝部材は、前述した第１の実施の形態に係る緩衝部材（図１乃至図３参照）に比べて、各足板部が延長されていることを特徴としている。
【００３８】
図７、図８及び図９において、緩衝部材２０は、段ボール紙製であって、矩形の４つのコーナー部分を切り落として形成される第１斜辺２３ａ、第２斜辺２３ｂ、第３斜辺２３ｃ及び第４斜辺２３ｄを有した形状となる支持板部２１と、それら４つの斜辺２３ａ、２３ｂ、２３ｃ、２３ｄを除く第１縁辺２１ａ、第２縁辺２１ｂ、第３縁辺２１ｃ及び第４縁辺２１ｄから下方に続く第１足板部２２ａ、第２足板部２２ｂ、第３足板部２２ｃ及び第４足板部２２ｃとによって台状に形成されている。第１斜辺２３ａを挟む第１縁辺２１ａ及び第２縁辺２１ｂから下方に続く第１足板部２２ａ及び第２足板部２２ｂは、第１斜辺２３ａを越えて先端が互いに当接するまで延びる延長部２２ａｂ及び延長部２２ｂａを有している。第２斜辺２３ｂを挟む第２縁辺２１ｂ及び第３縁辺２１ｃから下方に続く第２足板部２２ｂ及び第３足板部２３ｂは、第２斜辺２３ｂを越えて先端が互いに当接するまで延びる延長部２２ｂｂ及び延長部２２ｃａを有している。また、第３斜辺２３ｃを挟む第３縁辺２１ｃ及び第４縁辺２１ｄから下方に続く第３足板部２２ｃ及び第４足板部２２ｄは、第３斜辺２３ｃを越えて先端が互いに当接するまで延びる延長部２２ｃｂ及び延長部２２ｄａを有している。更に、第４斜辺２３ｄを挟む第４縁辺２１ｄ及び第１縁辺２１ａから下方に続く第４足板部２２ｄ及び第１足板部２２ａは、第４斜辺２３ｄを越えて先端が互いに当接するまで延びる延長部２２ｄｂ及び延長部２２ａａを有している。
【００３９】
なお、第１の実施の形態に係る緩衝部材１０（図１乃至図３）と同様に、指を引っ掛けるための孔部２４ａ、２４ｂが、第２縁辺２１ｂを挟んだ支持板部２１と第２足板部２２ｂとの境界部分の所定位置に、第４縁辺２１ｄを挟んだ支持板部２１と第４足板部２２ｄとの境界部分の所定位置に、それぞれ形成されている。これにより、緩衝部材２０のカートン箱への入れ込み及びカートン箱からの取り出しを容易に行えるようになる。
【００４０】
前述したような構造の緩衝部材２０においては、第１の実施の形態に係る緩衝部材１０（図１乃至図３参照）と同様に、支持板部２１の中央部分Ｅｍは比較的大きく撓み得るとともに、支持板部２１の４つのコーナー部分も分撓み易いものとなる。従って、支持板部２１の中央部分は勿論、そのコーナー部分においても有効な緩和作用を得ることができる。更に、支持板部２１の各斜辺２３ａ、２３ｂ、２３ｃ、２３ｄの形成された各コーナー部分での撓み方が当該斜辺を挟む２つの縁辺から下方に続く２つの足板部の延長部に影響されるようになるので、その撓みが抑えられるようになる。従って、コーナー部分が必要以上に撓んでしまうことを防止することができ、より大きな荷重に耐えることができる。
【００４１】
なお、前述した緩衝部材２０では、４つ全てのコーナー部分において、斜辺を挟む２つの縁辺から下方に続く足板部のそれぞれが当該斜辺を越えて延びる延長部を有するものであったが、少なくとも１つのコーナー部分において、各足板部が延長部分を有するものであってもよい。また、２つの足板部の延長部は、その先端が当接するまで延びていなくてもよい。
【００４２】
このような緩衝部材２０を用いた梱包体の例が図１０乃至図１４に示される。これら各例において、前述した構造（図７乃至図９参照）の緩衝部材が２つ、即ち、第１緩衝部材２０Ａ及び第２緩衝部材２０Ｂが用いられる。第１緩衝部材２０Ａと第２緩衝部材２０Ｂとは、第１の実施の形態の場合（図５及び図６参照）と同様に、支持板部の面積、及び各足板部の高さが異なっている。即ち、第２緩衝部材２０Ｂの支持板部は、第１緩衝部材２０Ａの支持板部より大きく、第２緩衝部材２０Ｂの各足板部の高さは、第１緩衝部材２０Ａの各足板部の高さより大きい。そして、段ボール紙製のカートン箱（包装箱）１００の底面は、第２緩衝部材２０Ｂの支持板部より僅かに大きい。
【００４３】
また、各例では、第１緩衝部材２０Ａ、第２緩衝部材２０Ｂ、仕切り板５０を用いることにより、前述した第１の実施の形態の場合（図５及び図６参照）と同様に、カートン箱１００内において、３段のスパウト付きパウチＰが、第１緩衝部材２０Ａ上に１段分、第２緩衝部材２０Ｂ上に２段分それぞれ分割されて載置される。そして、図１０に示す第１の例では、各段における複数（例えば、６個）のスパウト付きパウチＰは、スパウトの向きが順次変えられながら部分的に重なるように配列されている。図１１に示す第２の例では、各段における複数（例えば、６個）のスパウト付きパウチＰは、スパウトの向きが一定方向となって部分的に重なるように配列されている。また、図１２に示す第３の例では、各段において、５個のスパウト付きパウチＰがスパウトを一定方向に向けて部分的に重なるように配列され、３個のパウチＰが前記５個のパウチＰの上に、当該５個のパウチＰの向きに直行する向きにて部分的に重なるように配列されている。更に、図１３に示す第４の例では、３個のスパウト付きパウチＰがスパウトを一定方向に向けて縦方向に部分的に重なるように配列され、その隣に３個のスパウト付きパウチＰが同じようにスパウトを一定方向に向けて縦方向に部分的に重なるように配列されている。また、図１４に示す第５の例では、４個のスパウト付きパウチＰがスパウトの向きを交互に変えながら図１５に示すように部分的に重ねるように配列され、その隣に４個のスパウト付きパウチＰが同じようにスパウトの向きを交互に変えながら部分的に重なるように配列されている。この図１４に示す第５の例では、スパウトの向きは２方向になるが、交互に振り替えるだけなので梱包の自動化がし易いものとなる。
【００４４】
上述したスパウト付きパウチＰの各配列例は、いずれも、振動等によりスパウトが接触して破損しないよう考慮されている。また、図１１及び図１３に示すような全てのパウチが同じ方向を向いて並ぶ配列は、梱包作業を自動化する場合に好適である。
【００４５】
次に、本発明の第３の実施の形態に係る緩衝部材について、図１６、図１７、図１８及び図１９を参照して説明する。なお、図１６は緩衝部材の外観を示す斜視図であり、図１７は緩衝部材を上から見た状態を示す平面図であり、図１８は緩衝部材の展開図であり、図１９は緩衝部材と該緩衝部材が収容されるカートン箱の矩形状底部との大きさの関係を示す図である。この第３の実施の形態に係る緩衝部材は、カートン箱の底部の中央部に容易にセットすることができるような構造となっていることを特徴としている。
【００４６】
図１６、図１７及び図１８において、緩衝部材３０は、段ボール紙であって、矩形の４つのコーナー部分を切り落として形成される第１斜辺３３ａ、第２斜辺３３ｂ、第３斜辺３３ｃ及び第４斜辺３３ｄを有した形状となる支持板部３１と、それら４つの斜辺３３ａ、３３ｂ、３３ｃ、３３ｄを除く第１縁辺３１ａ、第２縁辺３１ｂ、第３縁辺３１ｃ及び第４縁辺３１ｄから下方に続く第１足板部３２ａ、第２足板部３２ｂ、第３足板部３２ｃ及び第４足板部３２ｄとによって台状に形成されている。第１斜辺３３ａに接合する第１縁辺３１ａから下方に続く第１足板部３２ａは、第１斜辺３３ａを越えて延びる延長部３２ａａを有している。また、第２斜辺３３ｂに接合し、第１縁辺３１ａと直行する方向に延びる第２縁辺３１ｂから下方に続く第２足板部３２ｂは、第２斜辺３３ｂを越えて延びる延長部３２ｂａを有している。更に、第３斜辺３３ｃに接合する第３縁辺３１ｃから下方に続く第３足板部３２ｃは、第３斜辺３３ｃを越えて延びる延長部３２ｃａを有している。また、第４斜辺３３ｄに接合し、第３縁辺３１ｃに直交する方向に延びる第４縁辺３１ｄから下方に続く第４足板部３２ｄは、第４斜辺３３ｄを越えて延びる延長部３２ｄａを有している。
【００４７】
図１９に示すように、第１足板部３２ａの延長部３２ａａの長さは、第１斜辺３３ａの当該第１足板部３２ａの延びる方向の長さαａより大きい所定長に設定され、第２足板部３２ｂの延長部３２ｂａの長さは、第２斜辺３３ｂの当該第２足板部３２ｂの延びる方向の長さαｂより大きい所定長に設定されている。また、第３足板部３２ｃの延長部３２ｃａの長さは、第３斜辺３３ｃの当該第３足板部３２ｃの延びる方向の長さαｃより大きい所定長に設定され、更に、第４足板部３２ｄの延長部３２ｄａの長さは、第４斜辺３３ｄの当該第４足板部３２ｄの延びる方向の長さαｄより大きい所定長に設定されている。各足板部３２ａ、３２ｂ、３２ｃ、３２ｄの延長部３２ａａ、３２ｂａ、３２ｃａ、３２ｄａの長さがこのように設定されることにより、結局、第１足板部３２ａの第１延長部３２ａａは、第１足板部３２ａに直交する第２足板部３２ｂを越え、第２足板部３２ｂの第２延長部３２ｂａは、第２足板部３２ｂに直交する第３足板部３２ｃを越え、第３足板部３２ｃの第３延長部３２ｃａは、第３足板部３２ｂに直交する第４足板部３２ｄを越え、更に、第４足板部３２ｄの第４延長部３２ｄａは、第４足板部３２ｄに直交する第１足板部３２ａを越えるようになる（図１５参照）。そして、第１足板部３２ａの延長部３２ａａの先端と第３足板部３２ｃの延長部３２ｃａの先端との間の距離ａは、この緩衝部材３０が収められるカートン箱の矩形状底部の横方向の長さに対応し、第２足板部３２ｂの延長部３２ｂａの先端と第４足板部３２ｄの延長部３２ｄａの先端との間の距離ｂは、緩衝部材３０が収められるカートン箱の矩形状底部の縦方向長さに対応している。
【００４８】
なお、第１の実施の形態に係る緩衝部材１０（図１乃至図３）と同様に、指を引っ掛けるための孔部３４ａ、３４ｂが、第２縁辺３１ｂを挟んだ支持板部３１と第２足板部３２ｂとの境界部分の所定位置に、第４縁辺３１ｄを挟んだ支持板部３１と第４足板部３２ｄとの境界部分の所定位置に、それぞれ形成されている。これにより、緩衝部材３０のカートン箱への入れ込み及びカートン箱からの取り出しを容易に行えるようになる。
【００４９】
前述したような構造の緩衝部材３０においては、第１の実施の形態に係る緩衝部材１０（図１乃至図３参照）及び第２の実施の形態に係る緩衝部材２０（図７乃至図９参照）と同様に、支持板部３１の中央部分Ｅｍは比較的大きく撓み得るとともに、支持板部３１の４つのコーナー部分も分撓み易いものとなる。従って、支持板部３１の中央部分は勿論、そのコーナー部分においても有効な緩和作用を得ることができる。更に、緩衝部材３０の各足板部３２ａ、３２ｂ、３２ｃ、３２ｄの延長部３２ａａ、３２ｂａ、３２ｃａ、３２ｄａの先端をカートン箱の内壁に沿わせて入れ込むことにより、当該緩衝部材３０は、カートン箱の矩形状底部の中央部に位置するようになる。その結果、図１９に示すように、緩衝部材３０の各足板部３２ａ、３２ｂ、３２ｃ、３２ｄとカートン箱の内壁との間に均一な隙間Δが形成されるようになる。
【００５０】
なお、前述した緩衝部材３０では、４つの足板部３２ａ、３２ｂ、３２ｃ、３２ｄの全てが延長部３２ａａ、３２ｂａ、３２ｃａ，３２ｄａを有するものであったが、少なくとも直交する２つの足板部が延長部を有する構造のものであればよく、例えば、延長部３２ａａと延長部３２ｂａとの組合せ、延長部３２ａａと延長部３２ｄａとの組合せであったり、あるいは、延長部３２ａａと、第４足板部３２ｄから第３斜辺３３ｃを越えて延びる延長部の組合せだったりしてもよい。また、第１斜辺３３ａに接合する第２縁辺３１ｂから下方に続く第２足板部３２ｂが第１斜辺３３ａを越えて延びる延長部を有し、第２斜辺３３ｂに接合する第３縁辺３１ｃから下方に続く第３足板部３２ｃが第２斜辺３３ｂを越えて延びる延長部を有し、第３斜辺３３ｃに接合する第４縁辺３１ｄから下方に続く第４足板部３２ｄが第３斜辺３３ｃを越えて延びる延長部を有し、第４斜辺３３ｄに接合する第１縁辺３１ａから下方に続く第１足板部３２ａが第４斜辺３３ｄを越えて延びる延長部を有するように構成することもできる。また、この場合も、支持板部３１は、４つのコーナー部分のうち少なくとも１つのコーナー部分を切り落として斜辺を形成した形状であればよい。
【００５１】
前述したような緩衝部材３０を用いた梱包体の例が図２０に示される。この例において、前述した構造（図１６乃至図１９参照）の緩衝部材が２つ、即ち、第１緩衝部材３０Ａ及び第２緩衝部材３０Ｂが用いられる。第１緩衝部材３０Ａと第２緩衝部材３０Ｂとは、第１の実施の形態の場合（図５及び図６参照）及び第２の実施の形態の場合（図１０乃至図１４）と同様に、支持板部の面積、及び各足板部の高さが異なっている。即ち、第２緩衝部材３０Ｂの支持板部は、第１緩衝部材３０Ａの支持板部より大きく、第２緩衝部材３０Ｂの各足板部の高さは、第１緩衝部材３０Ａの各足板部の高さより大きい。そして、段ボール紙製のカートン箱（包装箱）１００の矩形状底面は、第２緩衝部材３０Ｂの支持板部より僅かに大きい。
【００５２】
まず、第１緩衝部材３０Ａの各足板部３２ａ、３２ｂ、３２ｃ、３２ｄの延長部３２ａａ、３２ｂａ、３２ｃａ、３２ｄａの先端をカートン箱１００の内壁に沿わせつつ（図１９参照）、第１緩衝部材３０Ａがカートン箱１００に入れ込まれる。第１緩衝部材３０Ａは、カートン箱１００の底部の中央部分に位置し、各足板部３２ａ、３２ｂ、３２ｃ、３２ｄとカートン箱１００の内壁との間には隙間Δが形成される。このようにカートン箱１００に収められた第１緩衝部材３０Ａの支持板部上に複数の（例えば、６個）のスパウト付きパウチＰが部分的に重なるようにして置かれる。次に、第１緩衝部材１０Ａの各足板部とカートン箱１００の内壁との間の隙間Δに第２緩衝部材３０Ｂの各足板部が入り込むように、第２緩衝部材３０Ｂがカートン箱１００に収められる。その際にも、第２緩衝部材３０Ｂの各足板部３２ａ、３２ｂ、３２ｃ、３２ｄの延長部３２ａａ、３２ｂａ、３２ｃａ、３２ｄａの先端をカートン箱１００の内壁に沿わせつつ（図１９参照）、第２緩衝部材３０Ｂがカートン箱１００に入れ込まれる。
【００５３】
そして、前述した各実施の形態と同様に、第２緩衝部材１０Ｂの支持板部上に複数（例えば、６個）のスパウト付きパウチＰ、仕切り板５０、更に、複数のスパウト付きパウチＰが順次重ね置かれる。そして、最後にカートン箱１００の蓋が閉じられて、カートン箱１００内にスパウト付きパウチＰが３段重ねにて収納された梱包体が完成する。
【００５４】
このような梱包体では、第１緩衝部材３０Ａ、第２緩衝部材３０Ｂ及び仕切り板５０を用いることにより、前述した各実施の形態の場合と同様に、カートン箱１００内において、３段のスパウト付きパウチＰが、第１緩衝部材３０Ａ上に１段分、第２緩衝部材３０Ｂ上に２段分それぞれ分割されて載置される。そして、その梱包作業に際して、第１緩衝部材３０Ａの各足板部３２ａ、３２ｂ、３２ｃ、３２ｄの延長部３２ａａ、３２ｂａ、３２ｃａ、３２ｄａの先端をカートン箱１００の内壁に沿わせつつ当該第１緩衝部材３０Ａをカートン箱１００に入れ込むことで、自動的に、各足板部とカートン箱１００の内壁との間に、第２緩衝部材３０Ｂの各足板部が入り込むべき一定の隙間Δを確保することができるようになるので、その梱包作業が容易にできるようになる。
【００５５】
次に、本発明の第４の実施の形態に係る緩衝部材について、図２１、図２２及び図２３を参照して説明する。なお、図２１は緩衝部材の外観を示す斜視図であり、図２２は緩衝部材を上から見た状態を示す平面図であり、図２３は緩衝部材の展開図である。この第４の実施の形態に係る緩衝部材は、各コーナー部分にスリットが形成されていることを特徴としている。
【００５６】
図２１、図２２及び図２３において、緩衝部材４０は、段ボール紙製であって、物体が載置される矩形状の支持板部４１と、支持板部４１を支える４つの足板部、即ち、第１足板部４２ａ、第２足板部４２ｂ、第３足板部４２ｃ及び第４足板部４２ｄとによって台状に形成されている。支持板部４１は、直交する第１縁辺４１ａと第２縁辺４１ｂとが突き当たるコーナー部分において、第１縁辺４１ａから第２縁辺４１ｂに至る第１斜めスリット４３ａが形成され、直交する第２縁辺４１ｂと第３縁辺４１ｃとが突き当たるコーナー部分において、第２縁辺４１ｂから第２縁辺４１ｃに至る第２斜めスリット４３ｂが形成され、直交する第３縁辺４１ｃと第４縁辺４１ｄとが突き当たるコーナー部分において、第３縁辺４１ｃから第４縁辺４１ｄに至る第３斜めスリット４３ｃが形成され、更に、直交する第４縁辺４１ｄと第１縁辺４１ａとが突き当たるコーナー部分において、第４縁辺４１ｄから第１縁辺４１ａに至る第４斜めスリット４３ｄが形成された形状となっている。そして、支持板部４１の第１縁辺４１ａ、第２縁辺４１ｂ、第３縁辺４１ｃ及び第４縁辺４１ｄから下方に第１足板部４２ａ、第２足板部４２ｂ、第３足板部４２ｃ及び第４足板部４２ｄが続いている。
【００５７】
なお、前述した各実施の形態の場合と同様に、指を引っ掛けるための孔部４４ａ、４４ｂが、第２縁辺４１ｂを挟んだ支持板部４１と第２足板部４２ｂとの境界部分の所定位置に、第４縁辺４１ｄを挟んだ支持板部４１と第４足板部４２ｄとの境界部分の所定位置に、それぞれ形成されている。これにより、緩衝部材４０のカートン箱への入れ込み及びカートン箱からの取り出しを容易に行えるようになる。
【００５８】
前述したような構造の緩衝部材４０においては、支持板部４１がその４つの縁辺４１ａ、４１ｂ、４１ｃ、４１ｄにおいて４つの足板部４２ａ、４２ｂ、４２ｃ、４２ｄによって支えられているので、各足板部４２ａ、４２ｂ、４２ｃ、４２ｄからの距離が比較的大きい支持板部４１の中央部分は比較的大きく撓み得る。また、支持板部４１の各コーナー部分において、第１斜めスリット４３ａ、第２斜めスリット４３ｂ、第３斜めスリット４３ｃ及び第４斜めスリット４３ｄによって当該支持板部４１が切られたようになるので、各斜めスリット４３ａ、４３ｂ、４３ｃ、４３ｄの近傍部分が撓み易い。従って、支持板部４１の中央部分は勿論、その各コーナー部分においても有効な緩和作用を得ることができる。
【００５９】
なお、前述した緩衝部材４０では、４つ全てのコーナー部分において、斜めスリットが形成されていたが、なくとも１つのコーナー部分において、斜めスリットを形成するものであってもよい。この場合、その斜めスリットの形成されたコーナー部分がより撓み易くなるので、支持板部の中央部分部では勿論、少なくともそのコーナー部分において有効な緩和作用を得ることができるようになる。
【００６０】
前述したような緩衝部材４０を用いた梱包体の例が図２４に示される。図２４において、前述した構造（図２１乃至図２３参照）の緩衝部材が２つ、即ち、第１緩衝部材４０Ａ及び第２緩衝部材４０Ｂが用いられる。第１緩衝部材４０Ａと第２緩衝部材４０Ｂとは、前述した各実施の形態の場合と同様に、第２緩衝部材４０Ｂの支持板部は、第１緩衝部材４０Ａの支持板部より大きく、第２緩衝部材４０Ｂの各足板部の高さは、第１緩衝部材４０Ａの各足板部の高さより大きい。そして、段ボール紙製のカートン箱（包装箱）１００の底面は、第２緩衝部材４０Ｂの支持板部より僅かに大きい。
【００６１】
前述した各実施の形態の場合と同様に、第１緩衝部材４０Ａ、複数（例えば、６個）のスパウト付きパウチＰ、第２緩衝部材４０Ｂ、複数の（例えば、６個）のスパウト付きパウチＰ、仕切り版５０、更に、複数の（例えば、６個）のスパウト付きパウチＰが順次カートン箱１００に収容される。このようにして、カートン箱１００内において、３段のスパウト付きパウチＰが、第１緩衝部材４０Ａ上に１段分、第２緩衝部材４０Ｂ上に２段分それぞれ分割されて載置されるようになる。
【００６２】
以上説明した各実施の形態では、いずれも第１緩衝部材と第２緩衝部材とが同一の特徴を備えていたが、異なる実施の形態と組合せてもよく、例えば、第１緩衝部材３０Ａ（図２０参照）と第２緩衝部材１０Ｂ（図５参照）とを組み合わせてもよい。また、２つの緩衝部材と仕切り板の組合せに限らず、１つの緩衝部材と仕切り板を組み合わせる、緩衝部材を３つ以上重ねる、仕切り板を用いないなど、組合せはスパウト付きパウチ（載置する物体）、カートンの大きさを考慮して適宜選択することができる。
【産業上の利用可能性】
【００６３】
以上、説明したように、本発明に係る緩衝部材は、コーナー部分においても、有効な緩衝作用を得ることのできるという効果を有し、カートン箱等の包装箱内に収容され、該包装箱が落下した際にその包装箱に入れられた物体に対する衝撃を緩和する緩衝部材として有用である。また、各展開図で示したように、平板の４辺を折り曲げて足板部とする簡単な操作で緩衝部材を構成することができ、梱包作業の自動化に寄与することができる。
【符号の説明】
【００６４】
１０、２０、３０、４０  緩衝部材
１１、２１、３１、４１  支持板部
１１ａ、２１ａ、３１ａ、４１ａ  第１縁辺
１１ｂ、２１ｂ、３１ｂ、４１ｂ  第２縁辺
１１ｃ、２１ｃ、３１ｃ、４１ｃ  第３縁辺
１１ｄ、２１ｄ、３１ｄ、４１ｄ  第４縁辺
１２ａ、２２ａ、３２ａ、４２ａ  第１足板部
１２ｂ、２２ｂ、３２ｂ、４２ｂ  第２足板部
１２ｃ、２２ｃ、３２ｃ、４２ｃ  第３足板部
１２ｄ、２２ｄ、３２ｄ、４２ｄ  第４足板部
２２ａａ、２２ａｂ、２２ｂａ、２２ｂｂ、２２ｃａ、２２ｃｂ、２２ｄａ、２２ｄｂ、３２ａａ、３２ｂａ、３２ｃａ、３２ｄａ  延長部
１３ａ、２３ａ、３３ａ  第１斜辺
１３ｂ、２３ｂ、３３ｂ  第２斜辺
１３ｃ、２３ｃ、３３ｃ  第３斜辺
１３ｄ、２３ｄ、３３ｄ  第４斜辺
４３ａ  第１斜めスリット
４３ｂ  第２斜めスリット
４３ｃ  第３斜めスリット
４３ｄ  第４斜めスリット
５０  仕切り版
１００  カートン箱
【図１】
2010189040.tif 000003
【図２】
2010189040.tif 000004
【図３】
2010189040.tif 000005
【図４】
2010189040.tif 000006
【図５】
2010189040.tif 000007
【図６】
2010189040.tif 000008
【図７】
2010189040.tif 000009
【図８】
2010189040.tif 000010
【図９】
2010189040.tif 000011
【図１０】
2010189040.tif 000012
【図１１】
2010189040.tif 000013
【図１２】
2010189040.tif 000014
【図１３】
2010189040.tif 000015
【図１４】
2010189040.tif 000016
【図１５】
2010189040.tif 000017
【図１６】
2010189040.tif 000018
【図１７】
2010189040.tif 000019
【図１８】
2010189040.tif 000020
【図１９】
2010189040.tif 000021
【図２０】
2010189040.tif 000022
【図２１】
2010189040.tif 000023
【図２２】
2010189040.tif 000024
【図２３】
2010189040.tif 000025
【図２４】
2010189040.tif 000026